(57)【要約】【課題】使い勝手のよい、骨伝導機能を備える携帯電話機を提供する。【解決手段】骨伝導マイク１は携帯電話機７の格納部１６から取出された状態で、利用者の骨伝導音声振動を入力して音声認識し、その内容に基づいたオペレーション信号を無線通信で携帯電話機７に送信する。携帯電話機７ではそのオペレーション信号にしたがって、通話機能やメール送受信機能などの指示された機能が起動する。【選択図】図１
2007243591.tif 000002
【特許請求の範囲】
【請求項１】
骨伝導音声を取得する骨伝導音声取得手段と、
前記骨伝導音声に対して音声認識処理を行なって、音声内容を判断する判断手段と、
前記音声内容に基づいた指示要求を行なう要求手段と、
他の装置と通信を行なう第１通信手段と、
前記指示要求が当該携帯電話機のどの機能に対する指示要求であるかを判断する機能判断手段と、
前記指示要求に基づいて、前記機能判断手段によって判断された機能を制御するための制御信号を前記機能に対して出力する制御信号出力手段とを備える、携帯電話機。
【請求項２】
前記骨伝導音声取得手段と、前記判断手段と、前記要求手段とを含む骨伝導音声取得装置を着脱可能に接続する接続手段と、
前記接続手段によって当該携帯電話機に接続されていない前記骨伝導音声取得装置から、前記指示要求を受信する第２通信手段とをさらに備える、請求項１に記載の携帯電話機。
【請求項３】
前記接続手段は、前記骨伝導音声取得装置を当該携帯電話機に内蔵するように接続する、請求項２に記載の携帯電話機。
【請求項４】
前記接続手段は、当該携帯電話機に記録媒体を接続する記録媒体接続手段である、請求項２に記載の携帯電話機。
【請求項５】
前記第２通信手段は、短距離無線通信を利用する通信手段である、請求項２に記載の携帯電話機。
【請求項６】
前記機能は、通話機能、メール送受信機能、およびデータ送受信機能のいずれかであり、前記第１通信手段を利用する機能である、請求項１に記載の携帯電話機。
【請求項７】
骨伝導音声振動を入力する骨伝導音声入力手段と、
前記骨伝導振動から音声を識別する音声識別手段と、
前記音声の指示する指示内容を判断する音声判断手段と、
前記指示内容に基づいた指示要求を出力する指示要求出力手段と、
前記指示要求を所定の装置に送信する送信手段とを備える、骨伝導音声取得装置。
【請求項８】
骨伝導音声取得装置の制御をコンピュータに実行させるプログラムであって、
骨伝導音声振動を入力するステップと、
前記骨伝導振動から音声を識別するステップと、
前記音声の指示する指示内容を判断するステップと、
前記指示内容に基づいた指示要求を出力するステップと、
前記指示要求を所定の装置に送信するステップとを実行させる、制御プログラム。
【請求項９】
携帯電話機の制御をコンピュータに実行させるプログラムであって、
骨伝導音声振動によって生成された、前記携帯電話機に対する指示要求を受取るステップと、
前記指示要求が前記携帯電話機のどの機能に対する指示要求であるかを判断するステップと、
前記指示要求に基づいて、前記判断された機能を制御するための制御信号を前記機能に対して出力するステップとを実行させる、制御プログラム。
【請求項１０】
前記骨伝導音声振動を入力するステップと、
前記骨伝導振動から音声を識別するステップと、
前記音声の指示する指示内容を判断するステップと、
前記指示内容に基づいた指示要求を出力するステップとをさらに実行させる、請求項９に記載の制御プログラム。
【発明の詳細な説明】
【技術分野】
【０００１】
この発明は携帯電話機、骨伝導音声取得装置、および制御プログラムに関し、特に、骨伝導機能を備える携帯電話機、骨伝導音声取得装置、および制御プログラムに関する。
【背景技術】
【０００２】
骨伝導機能を備えた携帯電話機に関する技術として、以下の特許文献１〜３に開示されているような技術がある。
【０００３】
特許文献１は、骨伝導音声信号をピックアップする骨伝導マイクをスピーカから所定距離だけ離して電話機本体に取付けることにより、本体を十分に小型化しても受話部を耳に付けて通話をする際に送信音声を送出可能にする携帯電話機を開示している。この携帯電話機においては、骨伝導マイクが携帯電話機本体に取付けが可能な形状ではあるが、音声認識機能しか備えられていない。
【０００４】
また、特許文献２は、骨伝導音声信号をピックアップする骨伝導マイクと音声を認識する手段とを備えることによって骨伝導マイクによって音声を認識し、操作を音声によって実現することを可能とする電話機を開示している。
【０００５】
また、特許文献３は、骨伝導音声をオペレーション信号として扱い、オペレーション信号に予め関連付けられた処理を行なう制御手段を備えることにより、ボタン入力の手間をかけずに簡単に操作を行なうことを可能とする通話装置を開示している。この通話装置においては、骨伝導感知器の本体装置に対する着脱が不可な構造となっている。
【特許文献１】特開平３−２６５５０号公報
【特許文献２】特開２０００−１５６７２９号公報
【特許文献３】特開２００５−２９５４５６号公報
【発明の開示】
【発明が解決しようとする課題】
【０００６】
しかしながらこのような従来技術では、骨伝導マイクはマイクとしての機能（あるいは電話発着信機能のみ）を備えるに留まり、その他様々な携帯電話の機能を、骨伝導マイクを通じ音声によって制御することは難しい。このため、携帯電話機は依然として以下のような課題が残されたままである。
（課題１）操作方法が押しボタン式である場合、携帯電話機端末が小型であるためにボタンが小さく押し難く、操作がし難い。
（課題２）操作方法が押しボタン式である場合、端末に搭載することができるボタン数が限られているにも関わらず携帯電話機が多機能化してきているので、ある機能を作動させるのに何回もボタンを押す動作が必要とされ、操作が煩雑かつわかり難い。
（課題３）本体装置にボタン部分のスペースが必要になるため、端末自体の小型化を図ることが難しい。
（課題４）操作方法が押しボタン式である場合、ボタンを押す動作の効率を一定に保つため、端末をボタンの形状に合わせて作らなければならず、端末自体の形状が制限される。
（課題５）操作方法が押しボタン式である場合、操作手段であるボタンが携帯電話機本体に付加されているため、端末自体が手元にないと操作をすることができない。
（課題６）骨伝導マイク自体が備える機能としては、音声を認識する機能、または電話を発着信する機能に限られている。
【０００７】
本発明はこれらの問題に鑑みてなされたものであって、使い勝手のよい、骨伝導機能を備える携帯電話機、骨伝導音声取得装置、および制御プログラムを提供することを目的とする。
【課題を解決するための手段】
【０００８】
上記目的を達成するために、本発明のある局面に従うと、携帯電話機は、骨伝導音声を取得する骨伝導音声取得手段と、骨伝導音声に対して音声認識処理を行なって、音声内容を判断する判断手段と、判断された音声内容に基づいた指示要求を行なう要求手段と、他の装置と通信を行なう第１通信手段と、上記指示要求が当該携帯電話機のどの機能に対する指示要求であるかを判断する機能判断手段と、上記指示要求に基づいて、機能判断手段によって判断された機能を制御するための制御信号をその機能に対して出力する制御信号出力手段とを備える。
【０００９】
さらに、携帯電話機は、骨伝導音声取得手段と判断手段と要求手段とを含む骨伝導音声取得装置を着脱可能に接続する接続手段と、接続手段によって当該携帯電話機に接続されていない骨伝導音声取得装置から、上記指示要求を受信する第２通信手段とを備えることが好ましい。
【００１０】
なお、上記接続手段は、骨伝導音声取得装置を当該携帯電話機に内蔵するように接続することがより好ましい。より具体的には、上記接続手段は、当該携帯電話機に記録媒体を接続する記録媒体接続手段であることが好ましい。
【００１１】
また、具体的には、上記第２通信手段は、短距離無線通信を利用する通信手段である、ことが好ましい。
【００１２】
また、携帯電話機の上記機能は、通話機能、メール送受信機能、およびデータ送受信機能のいずれかであり、上記第１通信手段を利用する機能であることが好ましい。
【００１３】
本発明の他の局面に従うと、骨伝導音声取得装置は、骨伝導音声振動を入力する骨伝導音声入力手段と、骨伝導振動から音声を識別する音声識別手段と、識別された音声の指示する指示内容を判断する音声判断手段と、上記指示内容に基づいた指示要求を出力する指示要求出力手段と、上記指示要求を所定の装置に送信する送信手段とを備える。
【００１４】
本発明のさらに他の局面に従うと、制御プログラムは骨伝導音声取得装置の制御をコンピュータに実行させるプログラムであって、骨伝導音声振動を入力するステップと、骨伝導振動から音声を識別するステップと、その音声の指示する指示内容を判断するステップと、指示内容に基づいた指示要求を出力するステップと、指示要求を所定の装置に送信するステップとを実行させる。
【００１５】
本発明のさらに他の局面に従うと、制御プログラムは携帯電話機の制御をコンピュータに実行させるプログラムであって、骨伝導音声振動によって生成された、携帯電話機に対する指示要求を受取るステップと、指示要求が携帯電話機のどの機能に対する指示要求であるかを判断するステップと、指示要求に基づいて、判断された機能を制御するための制御信号をその機能に対して出力するステップとを実行させる。
【００１６】
さらに制御プログラムは、骨伝導音声振動を入力するステップと、骨伝導振動から音声を識別するステップと、その音声の指示する指示内容を判断するステップと、指示内容に基づいた指示要求を出力するステップとを実行させることが好ましい。
【発明の効果】
【００１７】
本発明にかかる携帯電話機においては、骨伝導マイク内蔵の骨伝導音声入力手段および音声認識手段を利用し、音声による制御を可能にする。そのため、煩雑な携帯電話機の操作を簡略化することができる。携帯電話機の操作が簡略化されることにより、着信通知メロディ（着メロ）、壁紙、およびゲームなど携帯電話機で利用可能なコンテンツサービスを利用するユーザや、そのような機能を利用することのできる高機能携帯電話機を利用するユーザが増加させることができる。
【００１８】
また、本発明にかかる携帯電話機においては、音声による制御を可能にするため、携帯電話機本体のボタン等の操作手段を減らすことができ、本体の小型化や形状の多様化を図ることができる。
【００１９】
また、本発明にかかる骨伝導マイクを用いることで、携帯電話機を含む周辺機器との短距離無線通信を行なってこれらの装置に対して遠隔操作を行なうことができる。
【発明を実施するための最良の形態】
【００２０】
以下に、図面を参照しつつ、本発明の実施の形態について説明する。以下の説明では、同一の部品および構成要素には同一の符号を付してある。それらの名称および機能も同じである。
【００２１】
本実施の形態にかかる携帯電話機７は、ハンドセットに替えて、携帯電話機７と無線または有線で接続された骨伝導音声取得装置である骨伝導マイクロフォン（以下、骨伝導マイクを略す）１を用いて通話を実現する。携帯電話機７と骨伝導マイク１との間の無線通信としては短距離無線通信が採用され、具体的にはＢｌｕｅｔｏｏｔｈ（登録商標）や無線ＬＡＮ（Local Area Network）やＨｏｍｅＲＦ（Home Radio Frequency）や赤外線通信であるＩｒＤＡ（Infrared Data Association）などを利用した短距離無線通信が挙げられる。
【００２２】
図１は、本実施の形態にかかる携帯電話機７および骨伝導マイク１の構成の具体例を示す斜視図である。
【００２３】
図１を参照して、本実施の形態にかかる携帯電話機７は、ケース（筐体）１７に全体が収納される。ケース１７のある面には無線回線の接続状態などを表示するためのＬＣＤ（Liquid Crystal Display）１４と、機能選択用ボタン群１５とが設けられている。上記ＬＣＤ１４と機能選択用ボタン群１５とは必ずしも同一の面に配備される必要はないが、ケース１７が図１に示されるような矩形形状である場合には同一の面に、携帯電話機７がクラムシェルタイプの場合には操作可能な状態（たとえば開状態）としたときに同一の面に備えられることが好ましい。上記ＬＣＤ１４と機能選択用ボタン群１５とが備えられる面を、便宜上、携帯電話機７の正面とする。
【００２４】
骨伝導マイク１は携帯電話機７に着脱可能な記録媒体と同様の大きさ・形状であって、より好ましくはＳＤ（Secure Digital）カードまたはｍｉｎｉＳＤカード（登録商標）と同様の大きさ・形状である。すなわち、より好ましいサイズは、縦３２ｍｍ×横２４ｍｍ×厚さ２．１ｍｍ、または縦２１．５ｍｍ×横２０ｍｍ×厚さ１．４ｍｍである。言うまでもなく骨伝導マイク１の大きさ・形状は上記大きさ・形状に限定されず、たとえば、メモリスティック（登録商標）やフラッシュカード（登録商標）などと同様の大きさ・形状であってもよい。
【００２５】
ケース１７の側面には矩形形状に開口された格納部１６が配される。格納部１６は骨伝導マイク１を収納する凹型ポケット構造であり、好ましくは記録媒体を携帯電話機７に挿入するスロットと兼用される。より好ましくは、格納部１６はＳＤカードまたはｍｉｎｉＳＤカード（登録商標）を挿入して携帯電話機７に接続するためのスロットと兼用される。
【００２６】
図２は骨伝導マイク１の機能構成の具体例を示すブロック図であり、図３は携帯電話機７の機能構成の具体例を示すブロック図である。
【００２７】
図２を参照して、骨伝導マイク１は、骨伝導音声入力部２０、音声認識部３、制御部４、無線通信を行なうための無線部５、および無線通信用のアンテナ２を含んで構成される。アンテナ２は、図２においては模式的に骨伝導マイク１外部に突き出た形状で示されているが、アンテナ２は骨伝導マイク１に内蔵されているものであることが好ましい。
【００２８】
骨伝導音声入力部２０は、骨伝導マイク１が頭蓋骨のいずれか一部に押し当てられることで、声帯で発生し咽喉や頭蓋骨を伝わり耳甲介腔部の底面に達した音声振動を検出して、音声認識部３に入力する。骨伝導マイク１での音声振動の検出方法は本発明において限定されず、従来の骨伝導マイクにおいてすでに採用されているあらゆる方法が採用され得る。また、骨伝導マイク１で音声振動を検出するための構成についても、従来の骨伝導マイクにおいてすでに採用されているあらゆる構成が採用され得る。
【００２９】
制御部４は内部に記憶されるプログラムを実行して、各部に制御信号を出力する。音声認識部３は、制御部４からの制御信号に従って、骨伝導音声入力部２０から入力された音声振動を用いて音声認識処理を実行する。すなわち、音声認識部３は振動信号から音声信号を認識し、音声信号を電気信号へ変換して制御部４に入力する。
【００３０】
無線部５は、制御部４から電気信号を受取って無線信号に変換し、アンテナ２を介してその無線信号を所定の宛先に送信する。また、アンテナ２を介して他の装置から送信された無線信号を受信して電気信号に変換し、その電気信号を制御部４へ入力する。
【００３１】
制御部４に入力された電気信号は、その信号に応じた処理が施され、信号に応じて無線部５へ入力される。
【００３２】
さらに、上記制御部４には、記憶部３１、音声判断部３３、および指示要求出力部３５が含まれる。
【００３３】
音声判断部３３は、音声認識部３から入力された音声信号が所定の操作を指示するオペレーション（指示）信号であるか否かを判断し、指示内容を判別する。また、上記操作を要求する装置を特定し、その操作を行なわせるための信号である指示要求を送信する送信先を決定する。記憶部３１には上記判断方法によっては音声信号のデータベース等のデータや送信先が記憶されており、音声判断部３３は上記判断・判別において必要に応じて記憶部３１にアクセスして記憶されているデータを参照してもよい。なお、記憶部３１に記憶されている送信先は、所定の操作を行なうことで変更可能であってもよい。そして、音声判断部３３は判別結果を指示要求出力部３５に入力する。
【００３４】
指示要求出力部３５は、音声判断部３３から入力された判別結果に応じて、決定された送信先である携帯電話機７に対して適切な指示要求を出力するための処理を行なって、指示要求を無線部５に入力する。無線部５に入力された指示要求は無線信号に変換されて決定された送信先である携帯電話機７に対して送信される。
【００３５】
さらに、骨伝導マイク１は本体に電力を供給する手段として、携帯電話機７から電力を取得する手段（不図示）を備えることが好ましい。より好ましくは、骨伝導マイク１は、ＳＤカードまたはｍｉｎｉＳＤカード（登録商標）用のスロットと兼用される格納部１６に格納された際に、ＳＤカードまたはｍｉｎｉＳＤカード（登録商標）の短辺の一方に並んだ９本または１１本のピン端子と接続して電気信号を送受信する格納部１６の機能を用いて携帯電話機７から供給される電力を取得する。
【００３６】
図３を参照して、携帯電話機７は、上述のＬＣＤ１４および機能選択用ボタン群１５に加えて、骨伝導マイク１と無線通信を行なうための無線部８およびアンテナ６と、制御部９と、基地局を介して他の携帯電話機と通話やメール送受信を行なうための送受信部４６およびアンテナ４７と、スピーカ４８と、マイク４９と、数字や文字を入力するためのキー４４とをさらに含んで構成される。なお、無線通信を行なうためのアンテナ６は、図３においては模式的に携帯電話機７外部に突き出た形状で示されているが、アンテナ６は携帯電話機７に内蔵されているものであることが好ましい。
【００３７】
さらに、上記制御部９には、信号受信部４１、機能判断部４３、制御信号出力部４５、通話制御部４０、およびメール制御部４２が含まれる。
【００３８】
本実施の形態において上記ＬＣＤ１４はたとえばタッチパネルなどであって、表示機能に加えて操作入力機能を備えるものとする。ＬＣＤ１４および機能選択用ボタン群１５はユーザからの指示操作を受付けて、オペレーション（指示）信号を電気信号として制御部９に入力する。
【００３９】
無線部８は、制御部９から電気信号を受取って無線信号に変換し、アンテナ６を介してその無線信号を所定の骨伝導マイク１に対して送信する。また、アンテナ６を介して、骨伝導マイク１のアンテナ２から発信された無線信号を受信し、無線信号を電気信号へと変換して制御部９へ入力する。
【００４０】
制御部９は、無線部８から入力された電気信号や、キー４４から入力された操作信号などに応じて内部に記憶されるプログラムを実行し、各部に制御信号を出力する。ＬＣＤ１４は、制御部９からの制御信号に従って、入力された電気信号に基づいた表示を行なう。また、スピーカ４８は、制御部９からの制御信号に従って、入力された電気信号に基づいた音声出力を行なう。
【００４１】
信号受信部４１は、無線部８より電気信号に変換された骨伝導マイク１から入力された無線信号、ＬＣＤ１４および／または機能選択用ボタン群１５から電気信号を受信する。機能判断部４３は受取った電気信号が上記オペレーション信号であるか否か、さらに当該携帯電話機７の備える機能のうちどの機能に対する指示であるかを判断し、指示内容を判別する。そして、機能判断部４３は判別結果を制御信号出力部４５に入力する。
【００４２】
制御信号出力部４５は、機能判断部４３から入力された判別結果に応じて所定の機能に対して適切な制御信号を出力するための処理を行なって、制御信号を対応する機能に対して出力する。なお、ここでの機能は本発明において限定されず、一般的な携帯電話機に備えられる機能が該当する。より具体的に、本実施の形態においては、通話を実現するための通話制御部４０、およびメール送受信を実現するためのメール制御部４２を備えるものとする。その他の機能としては、データ送受信機能やアラーム設定機能などが挙げられる。通話制御部４０、およびメール制御部４２は制御信号にしたがって通話処理およびメール送受信処理を実行し、必要な制御信号をスピーカ４８やＬＣＤ１４などに入力する。
【００４３】
図４は、本実施の形態にかかる骨伝導マイク１における処理を示すフローチャートであり、図５は携帯電話機７における処理を示すフローチャートである。図４および図５のフローチャートに示される処理は、各々、骨伝導マイク１の制御部４および携帯電話機７の制御部９が記憶されているプログラムを読出して実行し、図２および図３に示される各部を制御することによって実現される。
【００４４】
骨伝導マイク１においては、図４を参照して、始めに、骨伝導音声入力部２０において音声振動が入力されると（ステップＳ１０１でＹＥＳ）、音声認識部３において音声振動からノイズ（音声信号）が検出される（ステップＳ１０２）。ステップＳ１０２でのノイズの検出方法は、上述のように従来の技術と同様の方法であってよい。
【００４５】
ステップＳ１０２において音声振動からノイズが検出された場合（ステップＳ１０３でＹＥＳ）、音声判断部３３において、そのノイズがオペレーション信号であるか否か、さらにその指示内容が判断される（ステップＳ１０４）。ステップＳ１０４での判断方法も、上述のように従来の技術と同様の方法であってよい。
【００４６】
ステップＳ１０４において音声信号がオペレーション信号であると判断された場合（ステップＳ１０５でＹＥＳ）、指示要求出力部３５において記憶部３１に記憶されている送信先である携帯電話機７に対してそのオペレーション信号で指示された指示要求が出力される（ステップＳ１０６）。
【００４７】
以上で骨伝導マイク１における処理が終了する。
携帯電話機７においては、図５を参照して、始めに、信号受信部４１において骨伝導マイク１からの指示要求が取得されると（ステップＳ３０１でＹＥＳ）、機能判断部４３において取得された電気信号がオペレーション信号であるか否か、さらにその指示内容が判断される（ステップＳ３０２）。
【００４８】
ステップＳ３０２において、取得された電気信号がオペレーション信号であると判断された場合（ステップＳ３０３でＹＥＳ）、制御信号出力部４５においてそのオペレーション信号で指示された機能に対して指示された制御信号が出力される（ステップＳ３０４）。該当する機能においては、上記制御信号にしたがって、指示された処理が実行される（ステップＳ３０５）。ステップＳ３０５で実行される処理は、一般的な携帯電話機に備えられる機能における処理であって、その詳細は本発明において限定されない。ステップＳ３０５で実行される処理は、具体的には、以下に説明するようなダイアルアップ処理やメール送受信処理などである。
【００４９】
以上で携帯電話機７における処理が終了する。
本実施の形態にかかる携帯電話機７および骨伝導マイク１において上記処理が実行されることによって、利用者は携帯電話本体７または骨伝導マイク１の操作を行ないたい場合は、骨伝導マイク１へ適したノイズを入力すればよい。
【００５０】
たとえば、この骨伝導マイク１を用いて携帯電話機７からダイアルする操作を行なう場合、利用者は骨伝導マイク１に「発信」または「ダイアルアップ」などのノイズを入力する。上記ステップＳ１０１で音声振動が入力されると、ステップＳ１０２で音声認識部３において音声振動から「発信」または「ダイアルアップ」などのノイズが検出され、電気信号へと変換されて制御部４に入力される。上記ステップＳ１０４〜Ｓ１０６で制御部４において、この電気信号が「ダイアルアップの機能を作動させる」というオペレーション信号であると判断され、携帯電話機７のダイアルアップ機能を作動させるための指示要求が携帯電話機７に対して出力される。
【００５１】
携帯電話機７においては、この指示要求に応じて上記処理が行なわれて、通話制御部４０が制御信号にしたがって、要求されたダイアルアップ機能を作動させる。ダイアルアップ機能が作動すると上記ステップＳ３０５においてはＬＣＤ１４にその旨を示す画面表示がなされて、マイク４９で音声入力を受付け、音声認識部（不図示）において音声認識されて番号が取得される。または、機能選択用ボタン群１５やタッチパネル等の入力機能を備えたＬＣＤ１４やキー４４から番号入力操作を受付けて、番号が取得される。なお、これらの携帯電話機７に対する操作はすべて（または少なくとも一部）、骨伝導マイク１を用いた音声入力で行なわれてもよい。
【００５２】
引続いて、利用者は骨伝導マイク１に「発信」または「ダイアルスタート」などのノイズを入力する。ステップＳ１０２で音声認識部３において音声振動から上記ノイズが検出され、電気信号へと変換されて制御部４に入力される。上記ステップＳ１０４〜Ｓ１０６で制御部４において、この電気信号が「発信させる」というオペレーション信号であると判断され、携帯電話機７の発信機能を作動させるための指示要求が携帯電話機７に対して出力される。
【００５３】
携帯電話機７においては、上記指示要求に従って発信機能が作動し、ステップＳ３０５で通話制御部４０において、取得された番号に対して発信処理が実行される。
【００５４】
またたとえば、携帯電話機７に着信があった際は、利用者は携帯電話本体７から骨伝導マイク１を取出し、「着信」または「通話開始」などのノイズを入力する。ステップＳ１０２で音声認識部３において音声振動から上記ノイズが検出され、電気信号へと変換されて制御部４に入力される。上記ステップＳ１０４〜Ｓ１０６で制御部４において、この電気信号が「着信させる」というオペレーション信号であると判断され、携帯電話機７の着信機能を作動させるための指示要求が携帯電話機７に対して出力される。
【００５５】
携帯電話機７においては、上記指示要求に従って着信機能が作動し、ステップＳ３０５で通話制御部４０において、着信に応答する処理が実行される。
【００５６】
またたとえば、この骨伝導マイク１を用いて携帯電話機７においてメールを作成する操作を行なう場合、利用者は骨伝導マイク１に「メール作成」などのノイズを入力する。上記ステップＳ１０１で音声振動が入力されると、ステップＳ１０２で音声認識部３において音声振動から「メール作成」などのノイズが検出され、電気信号へと変換されて制御部４に入力される。上記ステップＳ１０４〜Ｓ１０６で制御部４において、この電気信号が「メールを作成する機能を作動させる」というオペレーション信号であると判断され、携帯電話機７のメール作成機能を作動させるための指示要求が携帯電話機７に対して出力される。携帯電話機７においては、この指示要求に応じて上記処理が行なわれて、メール制御部４２が制御信号に従って要求されたメール作成機能を作動させる。
【００５７】
本実施の形態にかかる携帯電話機７および骨伝導マイク１において上記処理が実行されることで、利用者は、携帯電話機７の操作を行なう際に携帯電話機７と無線通信を行なう骨伝導マイク１に対して操作を指示する音声を入力することで、ハンズフリーで携帯電話機７の操作を行なうことができる。このため、利用者はボタンを用いて操作する場合に比べて携帯電話機７に対する操作が容易になる。また、煩雑な操作を必要とせず、操作が簡単でわかりやすい。
【００５８】
また、携帯電話機７は骨伝導マイク１からの指示要求を受信して処理を行なうために、操作に応じてボタンを備える必要がなくボタン部分のスペースが不要となり、小型化を図ることができる。また、ボタンを考慮した設計を行なう必要がなくなるため、携帯電話機７の形状の自由度が増す。
【００５９】
また、携帯電話機７と骨伝導マイク１とが無線通信を行なうことによって、利用者は携帯電話機７が手元にない場合であっても骨伝導マイク１があれば携帯電話機７の操作が遠隔にて可能となり、利便性が向上する。また、携帯電話機７は骨伝導マイク１の機能を内蔵しなくてもよいために、小型化を図ることができる。
【００６０】
さらに、携帯電話機７は骨伝導マイク１からの指示要求を受信して処理を行なうために、指示要求に対する処理を実行させるためのプログラムを実行させることで、既存の携帯電話機７においても骨伝導マイク１からの指示要求に応じた処理を行なわせることが可能となる。
【００６１】
［変形例１］
なお、本実施の形態の第１の変形例として、骨伝導マイク１と通信を行なう装置として携帯電話機７以外の周辺機器１１が含まれていてもよい。骨伝導マイク１と周辺機器１１との間の通信も、上述の短距離無線通信が採用される。ここでは具体的に周辺機器１１をプリンタと仮定し、図６に一般的なプリンタである周辺機器１１の機能構成の具体例を示す。
【００６２】
すなわち、図６を参照して、一般的なプリンタとしての周辺機器１１は、アンテナ１０、無線部１２、制御部１３、操作部５７、および印刷部１８を含んで構成される。さらに制御部１３には、各々、携帯電話機７に含まれる信号受信部４１、機能判断部４３、および制御信号出力部４５に相当する信号受信部５１、機能判断部５３、および制御信号出力部５５が含まれる。
【００６３】
このような周辺機器１１では、骨伝導マイク１のアンテナ２から発信された無線信号を、アンテナ１０を介して無線部１２で受信する。無線部１２ではアンテナ１０からの無線信号を電気信号へと変換し、制御部１３へ入力する。
【００６４】
制御部１３において、信号受信部５１は、無線部１２より電気信号に変換された骨伝導マイク１から入力された無線信号、操作部５７から電気信号を受信する。機能判断部５３は受取った電気信号がオペレーション信号であるか否かを判断し、指示内容を判別する。そして、機能判断部５３は判別結果を制御信号出力部５５に入力する。
【００６５】
制御信号出力部５５は、機能判断部５３から入力された判別結果に応じて印刷部１８に対して適切な制御信号を出力するための処理を行なって、制御信号を印刷部１８に対して出力する。印刷部１８は制御信号に基づいて印刷処理を実行する。
【００６６】
なお、周辺機器１１のプリンタ以外の他の具体例としては、無線通信機能を備えた一般的なパーソナルコンピュータ、モバイル型コンピュータ、ＰＤＡ（Personal Digital Assistants）、ファクシミリ送受信機、テレビジョン受像機、画像再生装置、音声再生装置、デジタルカメラ、エアコントローラ、ゲーム機、冷蔵庫、および調理機器などの電気製品が挙げられる。その場合、骨伝導マイク１の大きさ・形状は上述のＳＤカード等の大きさ・形状に限定されず、フレキシブルディスク、ＭＤ（Mini Disk）、ＣＤ（Compact Disk）、メモリスティック（登録商標）、フラッシュカード（登録商標）、ＬＡＮカード等、通常これら装置に着脱して用いられる記録媒体と同様の大きさ・形状であってもよく、より好ましくは、骨伝導マイク１はこれらの装置に通常備えられるこのような記録媒体接続・格納部に接続・格納可能である。
【００６７】
変形例においても、携帯電話機７および骨伝導マイク１においては上記処理が実行される。また、周辺機器１１においては上記携帯電話機７の処理と同様の処理が実行される。変形例にかかる携帯電話機７、骨伝導マイク１および周辺機器１１において上記処理が実行されることによって、利用者は携帯電話機７、周辺機器１１または骨伝導マイク１の操作を行ないたい場合は、骨伝導マイク１へ適したノイズを入力すればよい。
【００６８】
たとえば、この骨伝導マイク１を用いて携帯電話本体７内にあるデータをプリンタである周辺機器１１に送信し印刷する操作を行なう場合、利用者は骨伝導マイク１に「データ転送」などのノイズを入力する。上記ステップＳ１０１で音声振動が入力されると、ステップＳ１０２で音声認識部３において音声振動から上記ノイズが検出され、電気信号へと変換されて制御部４に入力される。上記ステップＳ１０４〜Ｓ１０６で制御部４において、この電気信号が「携帯電話機７にデータ転送機能を作動させる」というオペレーション信号であると要求先の装置と指示内容とが判断され、携帯電話機７のデータ転送機能を作動させるための指示要求が携帯電話機７に対して出力される。
【００６９】
携帯電話機７においては、この指示要求に応じて上記処理が行なわれて、要求されたデータ転送機能が作動する。データ機能が作動すると上記ステップＳ３０５においてはＬＣＤ１４にその旨を示す画面表示がなされてマイク４９で音声入力を受付け、音声認識部（不図示）において音声認識されて転送対象であるデータを識別する情報（データ名等）が取得される。または、機能選択用ボタン群１５やタッチパネル等の入力機能を備えたＬＣＤ１４から入力操作を受付けて、転送対象であるデータを識別する情報が取得される。そして、指示されたデータを骨伝導マイク１に転送する処理が実行される。なお、これらの携帯電話機７に対する操作はすべて（または少なくとも一部）、骨伝導マイク１を用いた音声入力で行なわれてもよい。
【００７０】
骨伝導マイク１ではアンテナ２を介して受信したデータを、無線部５で電気信号へと変換した後、制御部４へと送信して記憶部３１に保存する。
【００７１】
引続いて、利用者は骨伝導マイク１に「印刷」または「プリント」など印刷動作関連のノイズを入力する。ステップＳ１０２で音声認識部３において音声振動から上記ノイズが検出され、電気信号へと変換されて制御部４に入力される。上記ステップＳ１０４〜Ｓ１０６で制御部４において、この電気信号が「印刷させる」というオペレーション信号であると判断され、プリンタである周辺機器１１の印刷機能を作動させるための指示要求が、先に携帯電話機７から受信して記憶部３１に保存されているデータと共に周辺機器１１に対して出力される。
【００７２】
周辺機器１１においては、アンテナ１０を介して無線部１２でデータが受信され、上述の携帯電話機７における処理と同様の処理が行なわれて上記指示要求に従って印刷機能が作動し、ステップＳ３０５において、受信したデータを印刷部１８で印刷する処理が実行される。
【００７３】
なお、上記具体例で骨伝導マイク１において、携帯電話機７にあるデータを骨伝導マイク１に転送させ、さらにそのデータを印刷の指示要求と共に周辺機器１１に転送させるもの処理がなされているが、骨伝導マイク１に転送対象のデータと転送先とを指定するノイズを入力することで、携帯電話機７に対して指定された転送先（ここでは周辺機器１１）に対して指定されたデータを転送する処理を実行させてもよい。
【００７４】
変形例において上記処理が実行されることで、利用者は、携帯電話機７および周辺機器１１の操作を行なう際にこれらの装置と無線通信を行なう骨伝導マイク１に対して操作を指示する音声を入力することで、ハンズフリーで携帯電話機７および周辺機器１１の操作を行なうことができる。このため、利用者は携帯電話機７や周辺機器１１のボタンやタッチパネル等の操作手段を用いて操作する場合に比べてこれら装置に対する操作が容易になる。また、煩雑な操作を必要とせず、操作が簡単でわかりやすい。
【００７５】
また、携帯電話機７および周辺機器１１と骨伝導マイク１とが無線通信を行なうことによって、利用者は携帯電話機７および周辺機器１１のそばにいない場合であっても骨伝導マイク１があればこれら装置の操作が可能となり、利便性が向上する。
【００７６】
さらに、携帯電話機７および周辺機器１１は骨伝導マイク１からの指示要求を受信して処理を行なうために、指示要求に対する処理を実行させるためのプログラムを実行させることで、既存の携帯電話機７および周辺機器１１においても骨伝導マイク１からの指示要求に応じた処理を行なわせることが可能となる。
【００７７】
［変形例２］
第２の変形例として、携帯電話機７は格納部１６に格納されている骨伝導マイク１にアクセスして処理を行なってもよい。その場合の携帯電話機７の機能構成を図７に示す。図７に示された変形例にかかる携帯電話機７は、図３に示された機能に加えて格納部１６に格納されている骨伝導マイク１にアクセスするアクセス部５０を含んで構成される。
【００７８】
変形例において、骨伝導マイク１の上記記憶部３１には、対応する携帯電話機７が上記指示要求を受信可能な他の骨伝導マイク１（すなわち送信元）が記憶されている。アクセス部５０は、骨伝導マイク１が格納部１６に格納されている状態において骨伝導マイク１の記憶部３１にアクセスして送信元に関する情報を参照し、その情報を機能判断部４３に入力する。機能判断部４３は、受取った電気信号が、受信が許可されている骨伝導マイク１からの電気信号であるか否かも判断し、その結果も制御信号出力部４５に入力する。
【００７９】
第２の変形例において骨伝導マイク１は上記処理と同様の処理を実行し、携帯電話機７に対して指示要求を送信する。
【００８０】
携帯電話機７では、信号受信部４１において骨伝導マイク１からの指示要求が取得されると（ステップＳ３０１でＹＥＳ）、上記ステップＳ３０２において、機能判断部４３が格納部１６に格納されている骨伝導マイク１の記憶部３１にアクセスして送信元に関する情報を参照する。そして、取得された電気信号が、受信が許可されている骨伝導マイク１からの電気信号であり、さらにオペレーション信号であると判断された場合に（ステップＳ３０３でＹＥＳ）、ステップＳ３０４で制御信号出力部４５においてそのオペレーション信号で指示された機能に対して指示された制御信号が出力される。
【００８１】
第２の変形例において上記処理が実行されることで、骨伝導マイクの記憶部３１に予め受信を許可する他の骨伝導マイクの情報を登録しておくと、その骨伝導マイクを格納している予め登録された携帯電話機７の操作を遠隔にて可能となる。
【００８２】
なお、上記具体例ではすべて骨伝導マイク１に対するノイズ入力によって操作を行なう例が示されているが、上記操作のうちの一部操作が携帯電話機７の（タッチパネル等である）ＬＣＤ１４や操作ボタン群１５、または周辺機器１１の操作部５７などによる操作であってもよい。
【００８３】
さらに、図２に示された骨伝導マイク１の機能構成の一部が携帯電話機７に含まれ、骨伝導マイク１における処理の一部が携帯電話機７で行なわれてもよい。たとえば、図８に示されるように、骨伝導マイク１には骨伝導音声入力部２０、アンテナ２、および無線部５のみが含まれて、音声振動が無線信号に変換されて携帯電話機７に送信されてもよい。一方、図９に示されるように、携帯電話機７には、図２に示された機能構成に加えて、上記具体例では骨伝導マイク１に含まれた音声認識部３、記憶部３１、音声判断部３３、および指示要求出力部３５が含まれて、骨伝導マイク１から音声振動を受信して音声信号を認識し、指示内容に従った処理がなされてもよい。
【００８４】
また、上記具体例では、骨伝導マイク１を携帯電話機７から取り外した状態でノイズ入力によって遠隔操作を行なう例が示されているが、言うまでもなく骨伝導マイク１が形態電話機７に接続された状態としてノイズ入力によって操作を行なうこともできる。その場合も上記処理と同様の処理がなされる。または、その場合、変形例２に示されたアクセス部５０が骨伝導マイク１の指示要求出力部３５にアクセスして、骨伝導マイク１からの指示要求を取得してもよい。
【００８５】
なお、図２に示された機能構成および図３等に示された機能構成は本実施の形態にかかる骨伝導マイク１および携帯電話機７が最低限備えている機能であり、言うまでもなく、たとえば骨伝導音声出力部等、図示された機能以外の機能が含まれていてもよい。または、本実施の形態にかかる骨伝導マイク１および携帯電話機７は、各々、他の装置の一部を構成するものであってもよい。
【００８６】
さらに、上述の骨伝導マイク１での処理および携帯電話機７または周辺機器１１での処理をコンピュータに実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８７】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８９】
提供されるプログラム製品は、ハードディスクなどのプログラム格納部にインストールされて実行される。なお、プログラム製品は、プログラム自体と、プログラムが記録された記録媒体とを含む。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９１】
【図１】携帯電話機７の構成の具体例を示す斜視図である。
【図２】骨伝導マイク１の機能構成の具体例を示すブロック図である。
【図３】携帯電話機７の機能構成の具体例を示すブロック図である。
【図４】骨伝導マイク１における処理を示すフローチャートである。
【図５】携帯電話機７における処理を示すフローチャートである。
【図６】周辺機器１１の機能構成の具体例を示すブロック図である。
【図７】携帯電話機７の機能構成の他の具体例を示すブロック図である。
【図８】骨伝導マイク１の機能構成の他の具体例を示すブロック図である。
【図９】携帯電話機７の機能構成の他の具体例を示すブロック図である。
【符号の説明】
【００９２】
１  骨伝導マイク、２，６，１０  アンテナ、３  音声認識部、４，９，１３  制御部、５，８，１２  無線部、７  携帯電話機、１１  周辺機器、１４  ＬＣＤ、１５  機能選択用ボタン群、１６  窓、１７  ケース、１８  印刷部、３１  記憶部、３３  音声判断部、３５  指示要求出力部、４０  通話制御部、４１，５１  信号受信部、４２  メール制御部、４３，５３  機能判断部、４４  キー、４５，５５  制御信号出力部、４６  送受信部、４７  アンテナ、４８  スピーカ、４９  マイク、５０  アクセス部、５７  操作部。
【図１】
2007243591.tif 000003
【図２】
2007243591.tif 000004
【図３】
2007243591.tif 000005
【図４】
2007243591.tif 000006
【図５】
2007243591.tif 000007
【図６】
2007243591.tif 000008
【図７】
2007243591.tif 000009
【図８】
2007243591.tif 000010
【図９】
2007243591.tif 000011